(57)【要約】  本開示の特定の態様は、マルチプルな受信チェーンのための局部発振器（ＬＯ）信号を生成するための方法および装置を提供する。概して、第１および第２の信号を生成する回路の一例は、アグリゲートされたリソースの第１のキャリアを受け取るための第１の受信チェーンに関連づけられた、第１の信号を第１の周波数で出力するように構成された第１の電圧制御発振器（ＶＣＯ）と、アグリゲートされたリソースの第２のキャリアを受け取るための第２の受信チェーンに関連づけられた、第２の信号を第２の周波数で出力するように構成された第２のＶＣＯとを含む。第２の周波数は第１の周波数とは異なる。このようにして、２つのＶＣＯが同じ無線周波数集積回路（ＲＦＩＣ)上に実装されたときでも、２つのＶＣＯ間のプリングまたはカップリングを回避することができる。【選択図】図３
2016530842.tif 000002
【特許請求の範囲】
【請求項１】
第１の信号および第２の信号を生成するための回路であって、
アグリゲートされたリソースの第１のキャリアを受け取るための第１の受信チェーンに関連づけられた、前記第１の信号を第１の周波数で出力するように構成された第１の電圧制御発振器（ＶＣＯ）と、
前記アグリゲートされたリソースの第２のキャリアを受け取るための第２の受信チェーンに関連づけられた、前記第２の信号を第２の周波数で出力するように構成された第２のＶＣＯと、ここで、前記第２の周波数は前記第１の周波数とは異なる、
を備える、回路。
【請求項２】
前記第１のＶＣＯおよび前記第２のＶＣＯは、単一の集積回路（ＩＣ）上に実装される、請求項１に記載の回路。
【請求項３】
前記第１の周波数は、前記第２の周波数の２分の１である、請求項１に記載の回路。
【請求項４】
前記第１の周波数は４ＧＨｚであり、前記第２の周波数は８ＧＨｚである、請求項１に記載の回路。
【請求項５】
第１の局部発振信号および第２の局部発振信号を生成するための局部発振器（ＬＯ）生成回路であって、
アグリゲートされたリソースの第１のキャリアを受け取るための第１の受信チェーンに関連づけられた、第１の信号を第１の周波数で出力するように構成された第１の電圧制御発振器（ＶＣＯ）と、
前記第１の局部発振信号を生成するために前記第１の信号の前記第１の周波数を分周するように構成された第１の分周回路と、
前記アグリゲートされたリソースの第２のキャリアを受け取るための第２の受信チェーンに関連づけられた、第２の信号を第２の周波数で出力するように構成された第２のＶＣＯと、ここで、前記第２の周波数は前記第１の周波数とは異なる、
前記第２の局部発振信号を生成するために前記第２の信号の前記第２の周波数を分周するように構成された第２の分周回路と
を備える、ＬＯ生成回路。
【請求項６】
前記第１のＶＣＯおよび前記第２のＶＣＯは、単一の集積回路（ＩＣ）上に実装される、請求項５に記載のＬＯ生成回路。
【請求項７】
前記第１の周波数は、前記第２の周波数の３分の２である、請求項５に記載のＬＯ生成回路。
【請求項８】
前記第１の周波数は４ＧＨｚであり、前記第２の周波数は６ＧＨｚである、請求項５に記載のＬＯ生成回路。
【請求項９】
前記第１の分周回路は、２分周回路または４分周回路のうちの少なくとも１つを備える、請求項５に記載のＬＯ生成回路。
【請求項１０】
前記第２の分周回路は、
前記第２の信号の前記第２の周波数を最初に分周するように構成された１段目と、
その後に、前記第２の局部発振信号を生成するために、前記１段目の出力信号を分周する、２段目と、
を備える、請求項５に記載のＬＯ生成回路。
【請求項１１】
前記１段目は、１．５分周回路、２分周回路、または３分周回路のうちの少なくとも１つを備える、請求項１０に記載のＬＯ生成回路。
【請求項１２】
前記２段目は、２分周回路または４分周回路のうちの少なくとも１つを備える、請求項１０に記載のＬＯ生成回路。
【請求項１３】
ワイヤレス通信のための装置であって、
第１のアンテナと、
第２のアンテナと、
前記第１のアンテナを介して受信されたアグリゲートされたリソースの第１のキャリアと第１の局部発振信号とを混合するように構成された第１の受信チェーンと、
前記第２のアンテナを介して受信された前記アグリゲートされたリソースの第２のキャリアと第２の局部発振信号とを混合するように構成された第２の受信チェーンと、
前記第１および第２の局部発振信号を生成するための局部発振器（ＬＯ）生成回路と、を備え、前記局部発振器（ＬＯ）生成回路は、
第１の信号を第１の周波数で出力するように構成された第１の電圧制御発振器（ＶＣＯ）と、ここで、前記第１のＶＣＯは前記第１の受信チェーンに関連づけられる、
前記第１の局部発振信号を生成するために前記第１の信号の前記第１の周波数を分周するように構成された第１の分周回路と、
第２の信号を第２の周波数で出力するように構成された第２のＶＣＯと、ここで、前記第２のＶＣＯは前記第２の受信チェーンに関連づけられ、前記第２の周波数は前記第１の周波数とは異なる、
前記第２の局部発振信号を生成するために前記第２の信号の前記第２の周波数を分周するように構成された、第２の分周回路と、を備える、
装置。
【請求項１４】
前記第１のＶＣＯおよび前記第２のＶＣＯは、単一の集積回路（ＩＣ）上に実装される、請求項１３に記載の装置。
【請求項１５】
前記第１の周波数は、前記第２の周波数の３分の１である、請求項１３に記載の装置。
【請求項１６】
前記第１の周波数は４ＧＨｚであり、前記第２の周波数は１２ＧＨｚである、請求項１３に記載の装置。
【請求項１７】
前記第１の分周回路は、２分周回路または４分周回路のうちの少なくとも１つを備える、請求項１３に記載の装置。
【請求項１８】
前記第２の分周回路は、
前記第２の信号の前記第２の周波数を最初に分周するように構成された１段目と、
その後に、前記第２の局部発振信号を生成するために、前記１段目の出力信号を分周する、２段目と、
を備える、請求項１３に記載の装置。
【請求項１９】
前記１段目は、１．５分周回路、２分周回路、または３分周回路のうちの少なくとも１つを備える、請求項１８に記載の装置。
【請求項２０】
前記２段目は、２分周回路または４分周回路のうちの少なくとも１つを備える、請求項１８に記載の装置。
【発明の詳細な説明】
【技術分野】
【０００１】
優先権の主張
[0001]  本願は、２０１３年９月１３日に出願された米国仮特許出願第６１／８７７，４５４号および２０１４年４月３０日に出願された米国特許出願第１４／２６５，８７７号に基づく利益を主張し、それらの両方の全体を参照により本願に組み込む。
【０００２】
[0002]  本開示の特定の態様は、一般に、ワイヤレス通信に関し、より詳細には、マルチプルな受信チェーンについて局部発振器（ＬＯ：local oscillator）信号を生成することに関する。
【背景技術】
【０００３】
[0003]  ワイヤレス通信ネットワークが、電話（telephony）、映像、データ、メッセージング、ブロードキャストなどのような多様な通信サービスを提供するために広く展開されている。このようなネットワークは、通常は多元接続ネットワークであり、利用可能なネットワークリソースを共有することによって、マルチプルなユーザのための通信をサポートする。例えば、あるネットワークは、３Ｇ（第３世代のモバイル電話標準および技術）システムであり得、これは、ＥＶＤＯ（エボリューションデータ・オプティマイズド（Evolution-Data Optimized））、１ｘＲＴＴ（１倍の無線伝送技術（1 times Radio Transmission Technology）または単に１ｘ）、Ｗ−ＣＤＭＡ（登録商標）（広帯域符号分割多元接続）、ＵＭＴＳ−ＴＤＤ（ユニバーサル・モバイル・テレコミュニケーション・システム  −  時分割複信）、ＨＳＰＡ（高速パケットアクセス）、ＧＰＲＳ（汎用パケット無線サービス）、あるいはＥＤＧＥ（グローバルエボリューションのためのデータレート拡張（Enhanced Data rates for Global Evolution））を含む、さまざまな３Ｇ無線接続技術（ＲＡＴ：radio access technologies）のうちの任意のものを介してネットワークサービスを提供することができる。３Ｇネットワークは、音声コールに加えて、高速のインターネットアクセスおよびテレビ電話を組み込むように進化した広域セルラー電話ネットワークである。さらに、３Ｇネットワークは、よりいっそう確立されて、他のネットワークシステムよりも大きなカバレージエリアを提供し得る。そのような多元接続ネットワークは、また、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）ネットワーク、第３世代パートナーシッププロジェクト（３ＧＰＰ（登録商標））ロングタームエボリューション（ＬＴＥ（登録商標））ネットワーク、およびロングタームエボリューション・アドバンスト（ＬＴＥ−Ａ）ネットワークを含み得る。
【０００４】
［0004]  ワイヤレス通信ネットワークは、いくつもの移動局のための通信をサポートできる、いくつもの基地局を含みうる。移動局（ＭＳ：mobile station）は、ダウンリンクおよびアップリンクを介して基地局（ＢＳ：base station）と通信し得る。ダウンリンク（または順方向リンク）は、基地局から移動局への通信リンクを指し、アップリンク（または逆方向リンク）は、移動局から基地局への通信リンクを指す。基地局は、ダウンリンクで移動局にデータおよび制御情報を送信し得、および／またはアップリンクで移動局からデータおよび制御情報を受信し得る。
【発明の概要】
【０００５】
[0005]  本開示の特定の態様は、一般に、マルチプルな受信チェーンについて局部発振器（ＬＯ）信号を生成することに関する。これの１つの例が、ＬＴＥ−Ａなど、特定の無線接続技術においてサポートされるキャリアアグリゲーションのためのデュアル（dual）（またはそれ以上の）受信チェーンにおけるものである。
【０００６】
[0006]  本開示の特定の態様は、第１の信号および第２の信号を生成するための回路を提供する。回路は、一般に、アグリゲートされたリソースの第１のキャリアを受け取るための第１の受信チェーンに関連づけられた、第１の信号を第１の周波数で出力するように構成された第１の電圧制御発振器（ＶＣＯ：voltage controlled oscillator）と、アグリゲートされたリソースの第２のキャリアを受け取るための第２の受信チェーンに関連づけられた、第２の信号を第２の周波数で出力するように構成された第２のＶＣＯとを含む。第２の周波数は、第１の周波数とは異なる。
【０００７】
[0007]  本開示の特定の態様は、第１および第２の局部発振信号を生成するための局部発振器（ＬＯ）生成回路を提供する。ＬＯ生成回路は、一般に、アグリゲートされたリソースの第１のキャリアを受け取るための第１の受信チェーンに関連づけられた、第１の信号を第１の周波数で出力するように構成された第１のＶＣＯと、第１の局部発振信号を生成するために第１の信号の第１の周波数を分周するように構成された第１の分周回路と、アグリゲートされたリソースの第２のキャリアを受け取るための第２の受信チェーンに関連づけられた、第２の信号を第２の周波数で出力するように構成された第２のＶＣＯであって、第２の周波数が第１の周波数とは異なる、第２のＶＣＯと、第２の局部発振信号を生成するために第２の信号の第２の周波数を分周するように構成された第２の分周回路とを含む。
【０００８】
[0008]  本開示の特定の態様は、ワイヤレス通信のための装置を提供する。装置は、一般に、第１のアンテナと、第２のアンテナと、第１のアンテナを介して受信されたアグリゲートされたリソースの第１のキャリアと第１の局部発振信号とを混合するように構成された第１の受信チェーンと、第２のアンテナを介して受信されたアグリゲートされたリソースの第２のキャリアと第２の局部発振信号とを混合するように構成された第２の受信チェーンと、第１および第２の局部発振信号を生成するためのＬＯ生成回路とを含む。ＬＯ生成回路は、一般に、第１の信号を第１の周波数で出力するように構成された第１のＶＣＯであって、第１のＶＣＯが第１の受信チェーンに関連づけられた、第１のＶＣＯと、第１の局部発振信号を生成するために第１の信号の第１の周波数を分周するように構成された第１の分周回路と、第２の信号を第２の周波数で出力するように構成された第２のＶＣＯであって、第２のＶＣＯが第２の受信チェーンに関連づけられ、第２の周波数が第１の周波数とは異なる、第２のＶＣＯと、第２の局部発振信号を生成するために第２の信号の第２の周波数を分周するように構成された、第２の分周回路とを含む。
【０００９】
[0009]  特定の態様によれば、第１のＶＣＯと第２のＶＣＯは、単一の集積回路（ＩＣ）上に実装される。他の態様では、第１および第２のＶＣＯは、別個のＩＣ上に実装され得る。
【００１０】
[0010]  特定の態様によれば、第１の周波数は、第２の周波数の２分の１である。例えば、第１の周波数は４ＧＨｚであり得、第２の周波数は８ＧＨｚであり得る。他の態様では、第１の周波数は、第２の周波数の３分の１または３分の２である。例えば、第１の周波数は４ＧＨｚであり得、第２の周波数は６ＧＨｚまたは１２ＧＨｚであり得る。
【００１１】
[0011]  特定の態様によれば、第１の分周回路は、２分周回路（divide-by-2 circuit）または４分周回路（divide-by-4 circuit）のうちの少なくとも１つを含む。特定の態様では、第２の分周回路は、第２の信号の第２の周波数を最初に分周するように構成された１段目（first stage）と、その後に１段目の出力信号を分周して、第２の局部発振信号を生成するための２段目（second stage）とを含む。１段目は、１．５分周回路（divide-by-1.5 circuit）、２分周回路、または３分周回路のうちの少なくとも１つを含み得る。２段目は、２分周回路または４分周回路のうちの少なくとも１つを含み得る。
【００１２】
[0012]  本開示の上記の特徴が詳細に理解されるように、以上では簡単に概要を述べた、より詳細な説明が、諸態様への参照によりなされ、それらのうちのいくつかは、添付された図面内において例示される。しかしながら、この説明は同等に効果的な他の態様を容認し得るので、添付の図面に示されているのは本開示の典型的な特定の態様にすぎず、したがって、その範囲を限定するものと見なされるべきではないことに留意されたい。
【図面の簡単な説明】
【００１３】
【図１】図１は、本開示の特定の態様による、例示的なワイヤレス通信ネットワークを示す図である。
【図２】図２は、本開示の特定の態様による、例示的なアクセスポイント（ＡＰ）およびユーザ端末のブロック図である。
【図３】図３は、本開示の特定の態様による、受信機キャリアアグリゲーションのための例示的な周波数生成回路のブロック図である。
【図４Ａ】図４Ａは、本開示の特定の態様による、図３の回路についての例示的なプライマリキャリアアグリゲーション周波数プランを示す図である。
【図４Ｂ】図４Ｂは、本開示の特定の態様による、図３の回路についての例示的なセカンダリキャリアアグリゲーション周波数プランを示す図である。
【詳細な説明】
【００１４】
[0018]  本開示の様々な態様が以下に説明される。ここでの教示が広くさまざまな形態で具現化され得ること、ここに開示されている任意の特定の構造、機能、またはその両方が代表的なものにすぎないことが明らかである。本明細書での教示に基づいて、当業者は、本明細書に開示された態様が、他の任意の態様とは独立して実現されうること、および、これらの態様のうちの２つ以上が、様々な方法で組み合わされうることを理解すべきである。例えば、本明細書に記載の任意の数の態様を使用して、装置が実現され、または方法が実施されうる。さらに、他の構造もしくは機能を使用して、または、本明細書に述べられる態様のうちの１つまたは複数に加えた、またはそれ以外の構造および機能を使用して、そのような装置が実現されることができ、または、そのような方法が実施されることができる。さらに、ある態様は、ある請求項の少なくとも１つエレメントを備えることができる。
【００１５】
[0019]  「例示的（exemplary）」という用語は、「例、実例、または説明としての役割を果たすこと」を意味するよう本明細書において使用される。「例示的」なものとしてここに説明される任意の態様は、必ずしも、他の態様よりも好ましい、または有利なものと解釈されるべきではない。
【００１６】
[0020]  本明細書に記載の技術は、符号分割多元接続（ＣＤＭＡ）、直交周波数分割多元接続（ＯＦＤＭ）、時分割多元接続（ＴＤＭＡ）、空間分割多元接続（ＳＤＭＡ）、シングルキャリア周波数分割多元接続（ＳＣ−ＦＤＭＡ）、時分割同期符号分割多元接続（ＴＤ−ＳＣＤＭＡ）などの様々なワイヤレス技術と組み合わせて使用され得る。マルチプルなユーザ端末が、異なる、（１）ＣＤＭＡのための直交符号チャネル、（２）ＴＤＭＡのための時間スロット、または（３）ＯＦＤＭのためのサブバンドを介して、同時にデータを送信／受信することができる。ＣＤＭＡシステムは、ＩＳ−２０００、ＩＳ−９５、ＩＳ−８５６、広帯域ＣＤＭＡ（Ｗ−ＣＤＭＡ）、または他の何らかの規格を実装し得る。ＯＦＤＭシステムは、米国電気電子学会（ＩＥＥＥ：Institute of Electrical and Electronics Engineers）８０２．１１、ＩＥＥＥ８０２．１６、ロングタームエボリューション（ＬＴＥ）（例えば、ＴＤＤモードおよび／またはＦＤＤモードにおける）、または他の何らかの規格を実装し得る。ＴＤＭＡシステムは、移動体通信用グローバルシステム（ＧＳＭ（登録商標））または他の何らかの規格を実装し得る。これら様々な規格が当該技術分野で知られている。
【００１７】
例示的なワイヤレスシステム
[0021]  図１は、アクセスポイントおよびユーザ端末を備えるワイヤレス通信システム１００を示す。簡潔にするために、図１には１つのアクセスポイント１１０だけが示されている。アクセスポイント（ＡＰ）は、一般に、ユーザ端末と通信する固定局であり、基地局（ＢＳ）、発展型ＮｏｄｅＢ（ｅＮＢ）、または何らかの他の用語で呼ばれる場合もある。ユーザ端末（ＵＴ）は、固定型または可動型であることができ、移動局（ＭＳ）、アクセス端末、ユーザ機器（ＵＥ）、局（ＳＴＡ）、クライアント、ワイヤレスデバイス、または何らかの他の用語で呼ばれる場合もある。ユーザ端末は、セルラー電話、携帯情報端末（ＰＤＡ）、ハンドヘルドデバイス、ワイヤレスモデム、ラップトップ型コンピュータ、タブレット、パーソナルコンピュータなどのようなワイヤレスデバイスでありうる。
【００１８】
[0022]  アクセスポイント１１０は、ダウンリンクおよびアップリンクにおいて任意の所与の瞬間に１以上のユーザ端末１２０と通信することができる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末は、また、別のユーザ端末とピアツーピアで通信することもできる。システムコントローラ１３０は、アクセスポイントに結合し、アクセスポイントに協調（coordination）および制御を提供する。
【００１９】
[0023]  システム１００は、ダウンリンクおよびアップリンクでのデータ伝送のために、複数の送信アンテナおよび複数の受信アンテナを使用する。アクセスポイント１１０は、ダウンリンク伝送のための送信ダイバーシティおよび／またはアップリンク伝送のための受信ダイバーシティを達成するために、Ｎａｐ個の数のアンテナを備え得る。選択されたユーザ端末１２０のセットＮｕは、ダウンリンク伝送を受信し、アップリンク伝送を送信することができる。選択された各々のユーザ端末は、アクセスポイントにユーザ固有のデータを送信し、および／またはアクセスポイントからユーザ固有のデータを受信する。一般的に、選択された各々のユーザ端末は、１つまたは複数（すなわち、Ｎｕｔ≧１）のアンテナを具備し得る。選択されたＮｕ個のユーザ端末は、同数のまたは異なる数のアンテナを有し得る。
【００２０】
[0024]  ワイヤレスシステム１００は、時分割複信（ＴＤＤ）システムまたは周波数分割複信（ＦＤＤ）システムであることができる。ＴＤＤシステムでは、ダウンリンクとアップリンクが、同一の周波数帯を共有する。ＦＤＤシステムでは、ダウンリンクとアップリンクが、異なる周波数帯を使用する。システム１００はまた、送信のために単一のキャリアまたはマルチプルなキャリアを利用することができる。各々のユーザ端末には、（たとえば、コストを低く抑えるために）単一のアンテナが、または（たとえば、さらなるコストがサポートされ得る場合には）複数のアンテナが設けられ得る。
【００２１】
[0025]  図２は、ワイヤレスシステム１００における、アクセスポイント１１０、および２つのユーザ端末１２０ｍ、１２０ｘのブロック図を示している。アクセスポイント１１０は、Ｎａｐのアンテナ２２４ａ〜２２４ａｐを具備している。ユーザ端末１２０ｍは、Ｎｕｔ，ｍのアンテナ２５２ｍａ〜２５２ｍｕを具備し、ユーザ端末１２０ｘは、Ｎｕｔ，ｘのアンテナ２５２ｘａ〜２５２ｘｕを具備している。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」とは、周波数チャネルを介してデータを送信することができる、独立して動作する装置またはデバイスであり、「受信エンティティ」とは、周波数チャネルを介してデータを受信することができる、独立して動作する装置またはデバイスである。以下の説明では、下付きの文字「ｄｎ」はダウンリンクを表し、下付きの文字「ｕｐ」はアップリンクを表し、Ｎｕｐ個のユーザ端末が、アップリンクでの同時送信のために選択され、Ｎｄｎ個のユーザ端末が、ダウンリンクでの同時送信のために選択され、Ｎｕｐは、Ｎｄｎに等しいものであり得、または等しくないものであり得、ＮｕｐとＮｄｎは、静的な値であり得、または各スケジューリング間隔について変化することもできる。ビームステアリングまたは何らかの他の空間処理技術が、アクセスポイントおよびユーザ端末において使用されることができる。
【００２２】
[0026]  アップリンクでは、アップリンク送信のために選択された各ユーザ端末１２０において、ＴＸデータプロセッサ２８８が、データソース２８６からトラフィックデータを、制御装置２８０から制御データを受け取る。ＴＸデータプロセッサ２８８は、そのユーザ端末のために選択されたレートに関連づけられたコーディングおよび変調スキームに基づいて、そのユーザ端末のためのトラフィックデータ｛ｄｕｐ｝を処理（たとえば、符号化、インターリーブ、変調）し、Ｎｕｔ，ｍのアンテナのうちの１つにデータシンボルストリーム｛ｓｕｐ｝を提供する。トランシーバフロントエンド（ＴＸ／ＲＸ）２５４（無線周波数フロントエンド（ＲＦＦＥ）としても知られている）は、アップリンク信号を生成するためにそれぞれのシンボルストリームを受信し、処理（例えば、アナログ変換、増幅、フィルタ処理、および周波数アップコンバート）する。トランシーバフロントエンド２５４は、また、たとえば、ＲＦスイッチを介して送信ダイバーシティのためのＮｕｔ，ｍのアンテナのうちの１つにアップリンク信号をルーティングし得る。コントローラ２８０は、トランシーバフロントエンド２５４内のルーティングを制御し得る。
【００２３】
[0027]  Ｎｕｐ個の数のユーザ端末が、アップリンクでの同時送信のためにスケジューリングされることができる。これらのユーザ端末の各々が、処理されたシンボルストリームのそのセットをアップリンクでアクセスポイントに送信する。
【００２４】
[0028]  アクセスポイント１１０において、Ｎａｐ個のアンテナ２２４ａ〜２２４ａｐが、アップリンクで送信するＮｕｐ個のユーザ端末すべてからのアップリンク信号を受信する。受信ダイバーシティのために、トランシーバフロントエンド２２２は、処理のためにアンテナ２２４のうちの１つから受信された信号を選択し得る。本開示の特定の態様では、マルチプルなアンテナ２２４から受信された信号の組合せが、受信ダイバーシティの向上のために結合され得る。アクセスポイントのトランシーバフロントエンド２２２は、また、ユーザ端末のトランシーバフロントエンド２５４によって実施されるものに相補的な処理を実施し、復元されたアップリンクデータシンボルストリームを提供する。復元されたアップリンクデータシンボルストリームは、ユーザ端末によって送信されたデータシンボルストリーム｛ｓｕｐ｝の推定である。ＲＸデータプロセッサ２４２が、復元されたアップリンクデータシンボルストリームを、そのストリームのために使用されたレートにしたがって処理（たとえば、復調、デインターリーブ、復号）し、復号されたデータが得られる。各ユーザ端末についての復号されたデータが、記憶のためにデータシンク２４４に、および／または、さらなる処理のためにコントローラ２３０に、提供されることができる。
【００２５】
[0029]  ダウンリンクでは、アクセスポイント１１０において、ＴＸデータプロセッサ２１０が、データソース２０８から、ダウンリンク送信のためにスケジューリングされたＮｄｎ個のユーザ端末のためのトラフィックデータを受け取り、コントローラ２３０から制御データを受け取り、ことによるとスケジューラ２３４から他のデータを受け取る。さまざまなタイプのデータが、異なるトランスポートチャネルで送信され得、ＴＸデータプロセッサ２１０は、各ユーザ端末についてのトラフィックデータを、そのユーザ端末のために選択されたレートに基づいて処理（たとえば、符号化、インターリーブ、変調）する。ＴＸデータプロセッサ２１０は、Ｎａｐ個のアンテナのうちの１つから送信されるべきＮｄｎ個のユーザ端末のうちの１つまたは複数についてのダウンリンクデータシンボルストリームを提供し得る。トランシーバフロントエンド２２２が、シンボルストリームを受け取って処理（たとえば、アナログ変換、増幅、フィルタリング、周波数アップコンバート）して、ダウンリンク信号を生成する。トランシーバフロントエンド２２２は、また、例えば、ＲＦスイッチを介して送信ダイバーシティのためにＮａｐのアンテナ２２４のうちの１つまたは複数にダウンリンク信号をルーティングし得る。コントローラ２３０は、トランシーバフロントエンド２２２内のルーティングを制御し得る。
【００２６】
[0030]  各ユーザ端末１２０において、Ｎｕｔ，ｍ個のアンテナ２５２が、アクセスポイント１１０からダウンリンク信号を受信する。ユーザ端末１２０での受信ダイバーシティのために、トランシーバフロントエンド２５４は、処理のためにアンテナ２５２のうちの１つから受信された信号を選択し得る。本開示の特定の態様について、マルチプルなアンテナ２５２から受信された信号の組合せが、受信ダイバーシティ向上のために結合され得る。ユーザ端末のトランシーバフロントエンド２５４は、また、アクセスポイントのトランシーバフロントエンド２２２によって実施されるものに相補的な処理を実施し、復元されたダウンリンクデータシンボルストリームを提供する。ＲＸデータプロセッサ２７０が、復元されたダウンリンクデータシンボルストリームを処理（たとえば、復調、デインターリーブ、復号）して、そのユーザ端末のための復号されたデータが得られる。
【００２７】
[0031]  本明細書に記載の技術が、ＴＤＭＡ、ＳＤＭＡ、直交周波数分割多元接続（ＯＦＤＭＡ）、ＣＤＭＡ、ＳＣ−ＦＤＭＡ、ＴＤ−ＳＣＤＭＡ、およびそれらの組合せなど、複数の接続スキームのうちの任意のタイプを用いるシステムに一般的に適用され得ることが、当業者には認識されよう。
【００２８】
例示的な受信機キャリアアグリゲーション周波数生成
[0032]  局部発振器（ＬＯ）は、通常、関心のある信号をミキサを使用して異なる周波数に変換するために用いられる信号を生成するために、無線周波数フロントエンド（ＲＦＦＥ）（ＲＦＦＥ２２２または２５４など）に含まれる。ヘテロダイン（heterodyning）として知られる、この周波数変換処理は、ＬＯ周波数および関心のある信号の周波数の、和および差周波数を生み出す。和および差周波数は、うなり周波数（beat frequencies）と呼ばれる。ＬＯの出力は周波数的に安定したままであることが望ましいが、異なる周波数にチューニングすることは、可変周波数発振器を使用することを示し、これは、安定性とチューナビリティとの間の折衷を伴う。現代のシステムは、特定のチューニングレンジをもつ、安定でチューナブルなＬＯを生成するために、電圧制御発振器（ＶＣＯ）を備えた周波数シンセサイザを用いる。
【００２９】
[0033]  キャリアアグリゲーション（ＣＡ）は、帯域幅を増やし、それによってビットレートを増やすことを試みて、ＬＴＥ−Ａなどのいくつかの無線接続技術（ＲＡＴ）において使用される。キャリアアグリゲーションでは、マルチプルな周波数リソース（すなわち、キャリア）がデータを送信するために割り当てられる。アグリゲートされた各々のキャリアは、コンポーネントキャリア（ＣＣ）と呼ばれる。ＬＴＥ  Ｒｅｌ−１０では、例えば、最高５つまでのコンポーネントキャリアがアグリゲートされて、１００ＭＨｚの最大アグリゲート帯域幅をもたらすことができる。リソースの割当ては、隣接的（contiguous）または非隣接的（non-contiguous）であり得る。非隣接割当ては、バンド内（intra-band）（すなわち、コンポーネントキャリアが同じ動作周波数帯に属するが、間に１つ以上のギャップを有する）、あるいはバンド間（inter-band）（このケースではコンポーネントキャリアが異なる動作周波数帯に属する）のいずれかであり得る。
【００３０】
[0034]  キャリアアグリゲーションにより、同時に２つの異なったチャネルで音声またはデータを受け取ることは、２つの受信機チェーンおよび２つの周波数シンセサイザを、すなわち、受信機チェーンあたりに１つの周波数シンセサイザを、必要とし得る。２つの周波数シンセサイザは、同時に動作し得、それが、シンセサイザ内の２つのＶＣＯが同じまたは類似の周波数で動作する場合に問題を生み出すおそれがある。この場合、ＶＣＯは互いにカップリングして、位相エラーおよびスプール（spurs）を引き起こし得る。従来の設計は、２つのＶＣＯ間のカップリングを弱めるために、２つの別個の集積回路（ＩＣ）を使用することがある。カップリングは、通常、同じＩＣ上のＶＣＯの場合にはるかに強い。
【００３１】
[0035]  したがって、ＶＣＯプリング（pulling）／カップリング（coupling）を回避するキャリアアグリゲーション周波数プランのための技術および装置が必要とされている。
【００３２】
[0036]  図３は、本開示の特定の態様による、受信機キャリアアグリゲーションのための例示的な周波数生成回路のブロック図である。周波数生成回路は、第１の周波数シンセサイザ回路３００（「Rx CA1 Synth」と標示）と、第２の周波数シンセサイザ回路３５０（「Rx CA2 Synth」と標示）を備える。２つの受信機チェーンだけが示されているが、本開示の諸態様は、３つまたはそれ以上の受信機チェーンに拡張され得る。
【００３３】
[0037]  第１の周波数シンセサイザ回路３００は、フェーズロックループ（ＰＬＬ）３０２と、第１のＶＣＯ３０４（「CA1 Rx VCO」と標示）とを含み、これは、たとえば、４ＧＨｚまたはその前後で動作し得る。無線周波数（ＲＦ）信号を送信するワイヤレス通信システムは、通常、同相（Ｉ）および直交（Ｑ）成分を使用し、ここで、Ｑ成分は、Ｉ成分と約９０°位相がずれている。ＩおよびＱの局部発振信号を生み出すために、第１のＶＣＯの出力発振信号は、分周回路３０６に送られ、該分周回路３０６は、第１のＶＣＯの出力周波数を２または４によって分周し、得られるＩ局部発振信号を位相シフトさせて、Ｑ局部発振信号を生成するように構成され得る。例えば、第１のＶＣＯの動作周波数が４ＧＨｚである場合、分周回路３０６は、２ＧＨｚまたは１ＧＨｚにおいてＩおよびＱ局部発振信号を生成し得る。ＩおよびＱ局部発振信号は、ＲＦＦＥ２２２または２５４において第１の受信チェーンに関連づけられたアンテナ２５２または２２４および低雑音増幅器（ＬＮＡ）（図示せず）とを介して受信された信号と、ミキサ（図示せず）において混合される。
【００３４】
[0038]  第２の周波数シンセサイザ回路３５０は、また、ＰＬＬ３５２およびＶＣＯを含むが、第２のＶＣＯ３５４（「CA2 Rx VCO」と標示）は、第１のＶＣＯ３０４とは異なる周波数で動作する。この方法では、第１および第２のＶＣＯは、互いに影響せず、潜在的にスプール（spurs）を生み出さない。例えば、第１のＶＣＯ３０４が４ＧＨｚで動作する場合、第２のＶＣＯ３５４は、６または８ＧＨｚ前後で動作し得る。ＩおよびＱ局部発振信号を生み出すために、第２のＶＣＯ３５４の出力発振信号は、別の分周回路に送られ得る。しかしながら、この、他の分周回路は、２以上の分周段を備え得る。例えば、１段目３５５は、はじめに、第２のＶＣＯの出力周波数を、２、１．５、または３によって分周するように構成され得る。２段目３５６は、１段目の出力を２または４によって分周して、全体的な分周３、４、６、８、または１２をもたらすように構成され得る。２段目３５６は、また、得られるＩ局部発振信号を９０°位相シフトさせて、Ｑ局部発振信号を生成するように構成され得る。
【００３５】
[0039]  例えば、第２のＶＣＯ３５４が８ＧＨｚの動作周波数を有する場合、１段目３５５は、２によって分周するように構成され得、その結果、ＩおよびＱ局部発振信号は、２段目３５６による分周の後で２ＧＨｚまたは１ＧＨｚの周波数を有するようになる。代替形態として、第２のＶＣＯ３５４が６ＧＨｚの動作周波数を有する場合、１段目３５５は、１．５または３によって分周されるように構成され得、その結果、ＩおよびＱ局部発振信号は、また、２段目３５６による分周の後で２ＧＨｚまたは１ＧＨｚの周波数を有するようになる。
【００３６】
[0040]  この受信機キャリアアグリゲーション周波数プランにより、２つのＶＣＯが同じＩＣ上に実装されたときでも、２つのＶＣＯの間のプリングまたはカップリングが回避され得る。
【００３７】
[0041]  図４Ａは、本開示の特定の態様による、図３の回路についての例示的なプライマリキャリアアグリゲーション周波数プラン４００を示す。図４Ａでは、第２の周波数シンセサイザ回路３５０（Rx CA2 Synth）における分周回路の１段目３５５は、２によって分周（divide）するように構成される。この場合、第２のＶＣＯ３５４（CA2 Rx VCO）は、第１のＶＣＯ３０４（CA1 Rx VCO）の動作周波数の２倍の動作周波数を有し得る。これは、プライマリＣＡ２周波数プランとみなされ得る。第２の周波数シンセサイザ回路３５０の１段目３５５における２による追加の分周が、局部発振信号に直交位相を与える必要がないことに気づかれるかもしれない。これは、第２の周波数シンセサイザ回路３５０の２段目３５６（２または４による分周が可能）が、直交位相局部発振信号を生成するように構成され得るという理由による。
【００３８】
[0042]  図４Ｂは、本開示の特定の態様による、図３の回路についての例示的なセカンダリキャリアアグリゲーション周波数プラン４５０を示す。図４Ｂでは、第２の周波数シンセサイザ回路３５０（Rx CA2 Synth）における分周回路の１段目３５５は、１．５または３によって分周するように構成される。この場合、第２のＶＣＯ３５４（CA2 Rx VCO）は、それぞれ、第１のＶＣＯ３０４（CA1 Rx VCO）の動作周波数の１．５倍または３倍の動作周波数を有し得る。これは、代替的な（またはセカンダリ）ＣＡ２周波数プランとみなされ得る。第２の周波数シンセサイザ回路３５０の１段目における１．５または３による追加の分周が、局部発振信号に直交位相を与える必要がないことに気づかれるかもしれない。
【００３９】
[0043]  以上で説明された様々な動作または方法は、対応する機能を遂行することが可能な任意の適した手段によって遂行されうる。手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含みうる。一般的に、動作が図中に示されている場合、それらの動作は、同様の参照番号を付した、対応するミーンズプラスファンクションコンポーネントを有し得る。
【００４０】
[0044]  例えば、送信する手段は、送信機（例えば、図２に描かれたユーザ端末１２０のトランシーバフロントエンド２５４、または図２に示されたアクセスポイント１１０のトランシーバフロントエンド２２２）、および／またはアンテナ（例えば、図２に描かれたユーザ端末１２０ｍのアンテナ２５２ｍａ〜２５２ｍｕ、または図２に示されたアクセスポイント１１０のアンテナ２２４ａ〜２２４ａｐ）を備え得る。受信する手段は、受信機（例えば、図２に描かれたユーザ端末１２０のトランシーバフロントエンド２５４、または図２に示されたアクセスポイント１１０のトランシーバフロントエンド２２２）、および／またはアンテナ（例えば、図２に描かれたユーザ端末１２０ｍのアンテナ２５２ｍａ〜２５２ｍｕ、または図２に示されたアクセスポイント１１０のアンテナ２２４ａ〜２２４ａｐ）を備え得る。処理する手段および決定する手段は、処理システムを備えることができ、それは、図２に示したユーザ端末１２０のＲＸデータプロセッサ２７０、ＴＸデータプロセッサ２８８、および／またはコントローラ２８０のような、１つまたは複数のプロセッサを含むことができる。
【００４１】
[0045]  ここで使用される場合、「決定すること」という用語は、幅広い動作を包含する。例えば、「決定すること」は、算出すること、計算すること、処理すること、導出すること、調査すること、ルックアップすること（例えば、テーブル、データベースまたは別のデータ構造においてルックアップすること）、確かめること、等を含みうる。また、「決定すること」は、受信すること（例えば、情報を受信すること）、アクセスすること（例えば、メモリ内のデータにアクセスすること）、等を含みうる。また、「決定すること」は、解決すること、選択すること、選ぶこと、確立することなどを含みうる。
【００４２】
[0046]  ここで使用される場合、アイテムのリスト「のうちの少なくとも１つ」というフレーズは、単一の構成要素（members）を含む、それらのアイテムの任意の組み合わせに関連する。例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むことを意図する。
【００４３】
[0047]  本開示に関連して説明された、さまざまな例示的な論理ブロック、モジュール、および回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェアコンポーネント、またはそれらの任意の組み合わせを用いて、実現または実行されることができる。汎用プロセッサは、マイクロプロセッサでありうるが、代替において、プロセッサは、任意の市販のプロセッサ、コントローラ、マイクロコントローラまたはステートマシンでありうる。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、または任意の他のそのような構成として実装されうる。
【００４４】
[0048]  本開示に関連して説明された方法またはアルゴリズムのステップは、直接的にハードウェアで、プロセッサによって実行されたソフトウェアモジュールで、または両者の組み合わせで、具現化されうる。ソフトウェアモジュールは、当該技術で知られている任意の形態の記憶媒体中に存在することができる。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等を含む。ソフトウェアモジュールは、単一の命令または多くの命令を備え、いくつかの異なるコードセグメントにわたって、異なるプログラム間で、および複数の記憶媒体にわたって、分散されうる。記憶媒体は、プロセッサが記憶媒体から情報を読み取り、記憶媒体に情報を書き込むことができるように、プロセッサに結合されることができる。あるいは、記憶媒体は、プロセッサに組み込まれることができる。
【００４５】
[0049]  本明細書に開示された方法は、説明された方法を達成するための１つ以上のステップまたは動作を備える。方法のステップおよび／または動作は、特許請求の範囲から逸脱することなく互いに置き換えられうる。言い換えれば、ステップまたは動作の特定の順序が指定されない限り、特定のステップおよび／または動作の順序および／または使用は、特許請求の範囲から逸脱することなしに修正されうる。
【００４６】
[0050]  説明される機能は、ハードウェア、ソフトウェア、ファームウェア、またはそれらの任意の組み合わせにおいて実現されうる。ハードウェアにおいて実現される場合、例示的なハードウェア構成は、ワイヤレスノードにおける処理システムを備え得る。処理システムは、バスアーキテクチャと共に実装され得る。バスは、処理システムの特定のアプリケーションと全体の設計の制約に依存するいくつかの相互に接続されたバスとブリッジを含み得る。バスは、プロセッサ、機械可読媒体、およびバスインターフェースを含む様々な回路を共につなぎ得る。バスインターフェースは、数ある中でも特に、ネットワークアダプタをバスを介して処理システムに接続するために用いられ得る。ユーザ端末１２０（図１を参照）の場合、ユーザインターフェース（たとえば、キーパッド、ディスプレイ、マウス、ジョイスティック、等）もまた、バスに接続されることができる。バスはまた、タイミングソース、周辺機器、電圧レギュレータ、電力管理回路、等といったさまざまな他の回路をリンクさせることができるが、これらの回路は、当該技術分野においてよく知られているので、これ以上説明しない。
【００４７】
[0051]  プロセッサは、バスの管理と、機械読取可能な媒体に記憶されたソフトウェアの実行を含む汎用処理と、を担うことができる。プロセッサは、１つまたは複数の汎用プロセッサおよび／または専用プロセッサにより実装され得る。それらの例としては、マイクロプロセッサ、マイクロコントローラ、ＤＳＰプロセッサ、およびソフトウェアを実行可能な他の回路が含まれる。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組み合わせを意味するものとして広く解釈されるべきである。機械可読媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク（disk）、光ディスク、ハードドライブ、または任意の他の適切な記憶媒体、またはそれらの任意の組合せを含み得る。機械可読媒体は、コンピュータプログラムプロダクトにおいて具体化され得る。コンピュータプログラムプロダクトは、パッケージング材料を備え得る。
【００４８】
[0052]  ハードウェア実装形態では、機械読取可能な媒体は、プロセッサとは別個の処理システムの一部であることができる。しかし、当業者は、機械可読媒体、またはそれらの任意の部分が処理システムの外部にあり得ることを容易に理解するだろう。例として、機械可読媒体は、送信路、データによって変調された搬送波、および／または無線ノードから分離したコンピュータプロダクトを含み得、それらの全てはバスインターフェースを経由してプロセッサによってアクセスされ得る。代替として、またはそれに加えて、機械可読媒体、またはそれらの任意の部分は、プロセッサに組み込まれ得、こういった場合は、キャッシュおよび／または汎用レジスタファイルを伴い得る。
【００４９】
[0053]  処理システムは、プロセッサ機能を提供する１つまたは複数のマイクロプロセッサを有する汎用目的処理システムおよび機械可読媒体の少なくとも一部を提供する外部メモリとして構成され得、それらは全て、外部バスアーキテクチャを経由して回路を支援するその他とつなげられる。代替として、処理システムは、プロセッサを有するＡＳＩＣ（特定用途向け集積回路）、バスインターフェース、（アクセス端末の場合のユーザインターフェース）、支援回路、および単一チップに統合された機械可読媒体の少なくとも一部と共に実装されるか、または１つまたは複数のＦＰＧＡ（フィールドプログラマブルゲートアレイ）、ＰＬＤ（プログラマブル論理デバイス）、コントローラ、ステートマシン、ゲート論理、ディスクリートハードウェアコンポーネント、または任意の他の適切な回路、または本開示を通じて説明された様々な機能を実行可能な回路の任意の組合せと共に実施され得る。当業者は、特定アプリケーションおよび全体のシステムに課せられた全体の設計制約に依存する処理システムのために記載された機能を実装することがいかに適しているかを認めるだろう。
【００５０】
[0054]  特許請求の範囲が、以上で説明した精密な構成およびコンポーネントだけに限定されないことが、理解されるべきである。特許請求の範囲から逸脱することなく、以上で説明した方法および装置の配置、動作、および詳細に対して様々な修正、変更、および変形が行われうる。
【図１】
2016530842.tif 000003
【図２】
2016530842.tif 000004
【図３】
2016530842.tif 000005
【図４Ａ】
2016530842.tif 000006
【図４Ｂ】
2016530842.tif 000007
【国際調査報告】
2016530842.tif 000008
2016530842.tif 000009